(57)【要約】【課題】非使用時に、筆記用芯を確実に保護し、インクの蒸発を防止できるキャップレス筆記具を提供する。【解決手段】外軸３内に中軸１１を、さらにその中にインク保持体３５を配置する。中軸は外軸から突出する断面略逆Ｕ字状の延長部１３を備えている。ノック体２５と一体的に軸方向移動する操作部材４１を設ける。操作部材は軸方向に延びるアーム４４を備え、その先端に筆記用芯７１を取付ける。筆記用芯は先端芯７２とそれを保持する芯保持部材７５を備える。芯保持部材は延長部の第２空所５７に形成されたラック６０と噛合うピニオン７８を備えている。筆記用芯は軸部７９によりアームに取付けられる。ノック体を移動させることによりアームが移動し、筆記用芯が移動する。第２空所を移動する際、ピニオンがラックに噛合い、筆記用芯は１８０度回転する。格納位置にあるとき、先端芯は中綿カバー内に進入して中綿からインクの補充を受け、中綿カバーの開口部は保持部材により密閉される。【選択図】　　　図１
2004074634.tif 000002
【特許請求の範囲】
【請求項１】
少なくとも一端側が開口した中空部を備えた軸と、前記軸の前記一端側に配置された筆記用芯とを備えた筆記具において、前記筆記用芯は、筆記側先端を備えた先端芯と、該先端芯を前記筆記側先端の反対側において一体的に保持する芯保持部材とを備えて構成され、前記芯保持部材は前記軸に対して、前記軸の軸方向に移動可能で、且つ、前記軸の軸方向に直交する軸芯周りに回動可能に装着され、さらに前記芯保持部材は、前記軸の前記一端側の前記開口部に嵌合可能な形状を備えた嵌合部を備え、前記筆記用芯は、前記先端芯が、前記芯保持部材に関して前記軸の前記中空部と反対側に位置し、前記軸から遠ざかる方向に延びる使用位置と、前記芯保持部材の前記嵌合部が前記軸の前記開口部に嵌り、前記先端芯が前記軸の前記中空部内に格納された格納位置との間で移動可能であることを特徴とする、筆記具。
【請求項２】
請求項１記載の筆記具において、前記筆記具は、前記軸内に収受されたインク保持体を備え、前記先端芯は、前記格納位置にあるときに前記インク保持体からインクを供給されることを特徴とする、筆記具。
【請求項３】
請求項２記載の筆記具において、前記インク保持体は、前記軸の前記一端側に対応する側において開口し、他端側が閉じた筒体と、該筒体内に収受され、インクが含浸された中綿とを供え、前記先端芯は、前記筆記用芯が前記格納位置にあるときに、前記筒体の前記開口を介して前記中綿に接触し、インクを供給されることを特徴とする、筆記具。
【請求項４】
請求項１記載の筆記具において、前記筆記具は、前記芯保持部材に一体的に構成されたインク保持体を備え、該インク保持体は一端側において前記先端芯に通じ、他端側は閉じていることを特徴とする、筆記具。
【請求項５】
請求項１乃至４のいずれか１に記載の筆記具において、前記筆記具はさらに、前記軸に沿って前記軸の軸心方向に延び、前記軸の軸心方向に移動可能に装着された、外部から操作可能なアームを備え、前記芯保持部材は、前記アームの一端側に回動自在に装着されていることを特徴とする、筆記具。
【請求項６】
請求項５記載の筆記具において、前記軸は、前記中空部から前記一端側へ伸長する延長部を備え、前記延長部には、その長さ方向所定の範囲に、前記芯保持部材が前記軸の軸方向に移動する際に、前記芯保持部材を回動させる回動手段を備えていることを特徴とする、筆記具。
【請求項７】
請求項６記載の筆記具において、前記回動手段は、前記延長部の前記所定の範囲に形成されたラックであり、前記芯保持部材は前記ラックに噛合うピニオンを備えていることを特徴とする、筆記具。
【請求項８】
請求項５乃至７のいずれか１に記載の筆記具において、前記筆記具は前記軸の他端側に設けられた、ノック体を含んだノック機構を備え、前記アームは、前記ノック体を操作することにより移動されることを特徴とする、筆記具。
【発明の詳細な説明】
【０００１】
【発明の属する技術分野】
本願発明は筆記具に関し、さらに詳細に言えば、軸の一端側に配置される筆記用の芯が軸内へ出入りする、キャップレス筆記具に関する。
【０００２】
【従来の技術】
インクタンクを備え、軸の一端側に筆記用の芯を配置した筆記具には、軸に対して芯を固定し、不使用時には軸とは別体のキャップを被せて芯の保護、インクの蒸発防止をするキャップ式と、例えばノック式と言われるタイプに代表される、軸の他端側に設けられたノック体などの操作部材を操作して芯を軸内に出入りさせ、不使用時にはその芯を軸内へ格納して保護するキャップレスタイプとがある。
【０００３】
キャップ付きのタイプでは不使用時に軸先端にキャップを被せることにより軸先端を気密にでき、インクの蒸発をこれにより防止できるが、キャップレスでは芯を軸内へ格納しても軸先端は開放しており、不使用時のインクの蒸発
が問題となる。
【０００４】
例えば特開平８−３２４１７６には、キャップの着脱の煩わしさを解消するために、ノック式のマーカで、ホルダー内のマーカを移動させてホルダー先端の蓋を押し開く例が開示されているが、この場合には、マーカの先端の磨耗を早めてしまうなどの問題がある。
【０００５】
【発明が解決しようとする課題】
本願発明は上記従来の問題点に鑑みなされたものであり、不使用時には筆記用の先端芯を軸内に格納するとともに、先端芯を格納した側の軸開口部を閉鎖し、インクの蒸発を防止し、先端芯の保護を確実に行える、キャップレスの筆記具を提供することをその課題とする。
【０００６】
【課題を解決するための手段】
上記課題を解決するために、本願発明に係る、少なくとも一端側が開口した中空部を備えた軸と、この軸の一端側に配置された筆記用芯とを備えた筆記具においては、その筆記用芯を、筆記側先端を備えた先端芯と、該先端芯を筆記側先端と反対側において一体的に保持する芯保持部材とで構成し、芯保持部材は軸に対して、軸の軸方向に移動可能、且つ、軸の軸方向に直交する軸芯周りに回動可能に装着され、さらにその芯保持部材は、軸の一端側の開口部に嵌合可能な形状を備えた嵌合部を備えている。そして筆記用芯は、その先端芯が、芯保持部材に関して軸の中空部と反対側に位置し、軸から遠ざかる方向に延びた状態の使用位置と、芯保持部材の嵌合部が軸の開口に嵌り、先端芯が軸の中空部内に格納された格納位置との間で移動できるようになっている。
【０００７】
ある実施の態様では、その筆記具は、軸内に収受されたインク保持体を備え、先端芯は、それが格納位置にあるときにインク保持体からインクを供給されるようになっている。
【０００８】
他の実施の態様では、そのインク保持体は、軸の一端側に対応する側において開口し、他端側が閉じた筒体と、該筒体内に収受され、インクが含浸された中綿とを供えており、先端芯は、筆記用芯が格納位置にあるときに、筒体の開口を介して中綿に接触し、インクを供給されるようになっている。
【０００９】
さらに他の実施の態様では、そのインク保持体は芯保持部材と一体的に構成されている。そして、そのインク保持体は一端側において先端芯に通じ、他端側は閉じている。
【００１０】
さらに他の実施の態様では、軸に対して、軸の軸心方向に沿って延び、軸の軸心方向に移動可能に装着された、外部から操作可能なアームを備え、芯保持部材は、このアームの一端側に回動自在に装着されている。
【００１１】
さらに他の実施の態様では、その軸は、中空部から一端側へ伸長する延長部を備え、この延長部には、その長さ方向所定の範囲に、芯保持部材が軸の軸心方向に移動する際に、芯保持部材を回動させる回動手段が備えられている。
【００１２】
さらに他の実施の態様では、その回動手段は、延長部の所定の範囲に形成されたラックであり、芯保持部材にはこのラックに噛合うピニオンが備えられている。
【００１３】
さらに他の実施の態様では、その筆記具は、軸の他端側に設けられた、ノック体を含んだノック機構を備え、アームは、このノック体を操作することにより移動されるようになっている。
【００１４】
【発明の実施の形態】
以下、本願発明の実施の形態を説明するが、本願発明の範囲は、以下に説明される実施の形態に限定されるものではない。
【００１５】
図１は本発明の１実施の形態に係る筆記具、具体的にはマーカーペン１の正面縦断面図、図２は、一部の部材、具体的には外軸３、中軸１１、ノック体２５の一部分を切欠いて示す正面図である。なお、説明の都合上、図において左側を先端側、右側を後端側とする。
【００１６】
図において符号３は外軸であり、両端が開口した中空円筒軸である。その外周側には、軸方向途中の位置に、後述するノック体のための係止部４が円周方向全体に渡って形成されている。係止部４の形状は、図示の通り、後端側から次第に径が大きくなる傾斜部４ａと、それに続く平行部４ｂと、平行部４ｂ端部で径方向内方へ延びる肩部４ｃとからなっている。外軸３の内周側では、後端側から軸方向で外周側の肩部を僅かに越えた位置までが径が若干大きい大径部５、それより先端側の、径が若干小さい小径部６とからなっている。
【００１７】
符号１１は中軸であり、外軸３内に挿入固定される円筒部１２と、円筒部１２の先端側から延びている延長部１３とを備えている。円筒部１２は、外軸３より若干短く、その先端部はほぼ外軸３の先端部と軸方向略同じ位置であるが、後端部は、外軸の中に入っている。円筒部１２の内周側は全長に渡って同一内径であるが、外周側は、後端部から軸方向で外軸３の径大部５に対応する範囲の径の小さい小径部１４と、外軸３の小径部６の内径に対応した外径を有する大径部１５とを備えている。中軸１１は、この大径部１５において外軸３の小径部６に嵌合圧入或は接着など適宜手段で固着されることにより、外軸３に離脱不能に取付けられている。また、外軸３の大径部５の内周と、中軸１１の小径部１４の外周との間に、図示の如く円環状のスペース１９が形成される。延長部１３に付いては後述する。なお、円筒部１２の後端部内周には、雌ネジ１６が形成されている。
【００１８】
中軸１１の中には、後端側から有底円筒状のバネ受け２１が挿入されている。即ちバネ受け２１は、一端側が閉じた底部２２となり、他端側が開口した円筒状部材で、その開口側端部に径方向外方へ広がるフランジ２３を備えている。また、フランジ２３の近傍においてその外周側に雄ネジ２４が形成され、底部２２側から中軸１１内へ挿入され、その雄ネジ２４が雌ねじ１６に螺合し、フランジ２３が中軸１１の後端部に当接した状態で取付けられる。
【００１９】
符号２５は指で操作されるノック体で、前述の外軸３と中軸１１との間に形成された円環状スペース１９に嵌って軸方向移動可能な円筒部２６と、その後端側を閉じる底部２７とを備えている。符号２９は円筒部２６に一体に形成されて先端側へ延びるフックであり、その先端部には、前述した外軸３の係止部４に係止可能な掛け止め部３０が図示のように形成されている。
【００２０】
ノック体２５の底部７の内面側には、前述のバネ受け２１に対面する位置に、丈の短い円環状の突起２８が形成されている。そして、圧縮バネ３３が、その一端がバネ受け２１に挿入されて底部２２により受止められ、他端側がノック体２５の底部２７により受止められ、円環状突起２８により位置決めされた状態で配設され、ノック体２５に対し常時後端側への付勢力を作用させている。円筒部２６の先端部には雌ネジ３１が形成されているが、これについては後述する。
【００２１】
符号３５はインク保持体であり、本実施の形態では公知の、筒体である中綿カバー３６と、中綿カバー３６内に収受された、インクを含浸させた中綿４０とで構成されている。カバー３６はその底部３７側から中軸１１の円筒部１２に挿入され、底部３７がバネ受け２１の底部２２に当接して軸方向の位置が決められる。カバー３６の外径は、中軸１１の円筒部１２の内径よりは僅かに大きく、一旦挿入されると摩擦力により簡単には移動しないようになっているが、交換の際には外力を加えることにより、取外すことは可能である。カバー３６の先端側は略中軸１１の円筒部１２の先端部位置まで延びており、その開口部３８の内周側はテーパ部３８ａとなっており、後述するようにシール部となる。インクが含浸された中綿４０は、カバー３６の先端側に、後述するように先端芯の進入を許容できるだけのスペースを明けて、カバー３６の中に詰込まれている。
【００２２】
符合４１は操作部材である（図２）。操作部材４１は、円環部４２と、円環部４２の後端側に形成された、前述のノック体２５の雌ネジ３１に螺合する雄ねじ部４３と、円環部４２の直径方向で向い合う位置から先端側へ平行に延びている二本のアーム４４、４４とを備えている（図３参照）。円環部４２は、前述の外軸３と中軸１１との間に形成された円環状スペース１９に嵌っている。アーム４４についてはさらに後述する。
【００２３】
ここで中軸１１の延長部１３に付いて説明する。延長部１３は、外形が略円形で（円筒部１２の外形の延長でよい）で、下側から抉って軸方向全長に延びる空所５１を形成している。空所５１は後端側において円筒部１２に通じている。
【００２４】
空所５１は延長部の長手方向に沿って大略３つの部分に分けられる。第１は延長部１３の先端から軸方向所定の長さの範囲に形成される第１空所５２である。図４の（イ）に示される、図１のＡ−Ａ線での断面端面図で説明すると、この第１空所５２は、両側の垂直壁部５３、５４と、延長部１３の外径と同心の円弧状頂部５５を備え、図４（イ）において左右対称である。この第１空所５２の断面形状は、後述する筆記用芯７１の芯保持部材７５の形状に対応するが、これに付いては後述する。
【００２５】
第２の空所は第１空所５２の後端側に隣接して、延長部１３の軸方向所定の長さに渡って形成された第２空所５７である。この第２空所５７は、図１のＢ−Ｂ線での断面端面図である図４（ロ）に示されるように、左右の垂直壁５８、５９を備え、その頂部には、延長部１３の長手方向に延びるラック６０が形成され、図４（ロ）において左右対称である。この断面形状は、後述する筆記用芯７１の芯保持部材７５に形成されたピニオン７８の形状に対応しているが、これについては後述する。
【００２６】
第３の空所は、第２空所５７の後端側に隣接して、円筒部１２に達する部分までに形成された第３空所６２である。この第３空所６２の断面形状は、図１のＣ−Ｃ線での断面端面図である図４（ハ）に示されるように、第１空所５２のそれと同じであり、左右の垂直壁６３、６４と円弧状の頂部６５とを備えている。これについても後述する。
【００２７】
前述した操作部材４１のアーム４４、４４は、外軸３の内周と中軸１１の外周との間に画成されるスペースを通って後端側から先端側へと伸びている。すなわち、中軸１１の円筒部１２の大径部１５部分の外周と、延長部１３の外周には後端側から先端側へと一連につながって延びる溝６７、６７が、円周方向１８０度隔てて形成されている（図２及び図４（イ）（ロ）（ハ）参照）。その溝６７、６７の形状は、前述のアーム４４、４４が収受され、長手方向に移動自在となる寸法を備えている。従ってアーム４４、４４は、円環部４２から、前述の円環状スペース１９を通り、さらにこの溝６７、６７を通って延びている。
【００２８】
それらアーム４４、４４の先端には、互いに向き合った面に有底孔即ちメクラ孔４４ａ、４４ａが形成されている（図４（ロ）参照）。これについては後述する。また、中軸１１の延長部１３の溝６７、６７の底部には、第１空所５２の第２空所５７に近い位置から、第２空所５７を通って第３空所６２の途中まで、延長部の長手方向に延びて、溝６７、６７の幅より短い幅で切欠かれて長孔６７ａ、６７ａが形成され（図１及び図４（ロ）（ハ）参照）、内側の空所５１に通じている。
【００２９】
図５は筆記用芯７１を示す図で、（イ）は平面図、（ロ）は正面図である。筆記用芯７１は、筆記側先端７３を備えた先端芯７２と、先端芯７２を筆記側先端７３の反対側において図示の如くこれを収受し、保持する芯保持部材７５とからなる。
【００３０】
芯保持部材７５は、先端芯７２を収受保持する凹所を備えた保持部７６と、この保持部７６と短い円柱状の連結部７７を介して一体化されているピニオン７８と、ピニオン７８の左右方向に延びている短い円柱状の軸部７９、７９とを備えている。保持部７６の先端芯７２を受入れる側の先端外周部には、前述の中綿カバー３６先端のテーパ部３８ａに合わせたテーパ部８０が形成されている。
【００３１】
筆記用芯７１は、延長部１３の空所５１内に、延長部１３の長手方向に移動可能で、且つ図１、２において紙面に垂直な軸周りに回動可能に配置される。すなわち、図１及び図４（イ）（ロ）に示されるように、芯保持部材７５の保持部７６、連結部７７、ピニオン７８が空所５１内に位置し、ピニオン７８の両側に突出した軸部７９，７９が、前述の延長部１３に形成された長孔６７ａ、６７ａを通って、その先端が前述のアーム４４，４４の先端に形成された孔４４ａ、４４ａに回動可能に嵌っている。従って、アーム４４，４４の移動により、芯保持部材７５は空所５１内を延長部１３の長手方向に移動する。また、芯保持部材７５のピニオン７８が空所５１の第２空所５７内に位置するときには、ピニオン７８がラック６０に噛合い、延長部１３に沿って移動すると共に、軸部７９，７９を支点として回動するようになっている。なお、第２空所５７の幅（図４で左右方向）はピニオン７８の厚みに、第１及び第３空所５２、６２の幅は保持部７６の直径に対応しており、筆記用芯７１の移動の際にガイドするようになっている。
【００３２】
次にこの筆記具の動作について説明する。以下説明するように、筆記用芯７１は使用位置と格納位置との間で移動可能であるが、図１においては説明の便宜上、筆記用芯７１は実線で使用位置に、一方ノック体２５は格納位置に実線で示してある。
【００３３】
ノック体２５は実線で示された格納位置にあるとき、そのフック２９は若干弾性変形した状態にある。この状態から圧縮バネ３３に抗して図１においてノック体２５を左へ移動させると、図１に二点鎖線で示された位置で掛け止め部３０は外軸３の係止部４の平行部４ｂを越え、弾性変形が戻り、肩部４ｃに引っ掛かり、バネ３３の作用によりその位置に保持される。この状態のとき、筆記用芯７１は図１、２に実線で示される使用位置にある。すなわち、ピニオン７８がラック６０に左端部付近で噛合っており、保持部７６はピニオン７８の左側に位置し、先端芯７１が延長部１３の先端からその筆記用先端部７５を覗かせている。前述の通りノック体２５はバネ３３の作用により２点差線の位置に保持されているので、筆記用芯７１もこの位置に保持され、筆記することができる。
【００３４】
筆記具１を使用しない場合には、ノック体２５のフック２９先端の掛け止め部３０を外軸３の係止部４の肩部４ｂを越える位置まで指先で軽く持ち上げると、バネ３３の作用によりノック体２５は図中右側へ移動させられる。ノック体２５とともに操作部材４１も移動し、そのアーム４４、４４により支持された筆記用芯７１も右方向へ移動する。
【００３５】
その際、移動開始の時にはピニオン７８がラック６０に噛合っているので、ピニオン７８が反時計方向へ回転しながら移動する。軸部７９、７９は長孔６７ａ、６７ａ内を移動する。１８０度回転したときにピニオン７８は図１に破線で示す７８ａの位置に達し、ラック６０から外れる。この時、先端芯７２はピニオン６０の右側に位置し、延長部１３の長手方向に沿って延びている。
【００３６】
さらにノック体２５、よってアーム４４、４４が右へ移動すると、筆記用芯７１はそのままの状態で、すなわち回転はしないで右方向へさらに直線移動のみを行う。そして芯保持部材７５が図中点線で示す７５ａの位置まで移動すると、そのテーパ部８０が中綿カバー３６の開口部３９のテーパ部３８に嵌り、それ以上の移動を阻止されることとなる。この状態で、先端芯７２の筆記側先端７３は中綿４０に接触し、インクの補充を受ける。また、中綿カバー３６の開口部３８は筆記用芯７１の保持部７１により閉じられるので、筆記具１を使用しないときのインクの蒸発は防止される。
【００３７】
使用する時には、前述したようにノック体２５をバネ３３に抗して左へ向けて押すと、アーム４４、４４の移動に伴い、筆記用芯７１が先とは逆の順に移動する。すなわち、先ず左側へ併進移動をして芯保持部材７５が中綿カバー３６から外れ、ピニオン７８が先と同じ符号７８ａの位置に達すると、ラック６０に噛合い、時計方向への回転もするようになる。そして略１８０度回転すると、芯保持体７５の外周が第１空所５２の頂部５５に当たり、それ以上の回転はできず、従って延長部１３の長手方向の移動も停止する。この時前述の如く、ノック体２５のフック２９の掛け止め部３０が、外軸３の係止部４の肩部４ｃに掛かり、位置決めされる。これで使用可能となる。
【００３８】
なお上記説明においては、インク保持体と筆記用芯とは別体に構成し、インク保持体を軸内部に配置し、筆記用芯が格納位置にあるときに芯にインクの補充を行うこととしたが、インク保持体を筆記用芯と一体的に構成し、その一端側で先端芯に通じてインクを供給し、他端側が閉じているようにしても良い。この場合でも、筆記用芯が格納位置にあるときに、筆記用芯を介してのインクの蒸発が防止され、筆記用芯の保護が図られる。
【００３９】
また上記の説明では、アームを移動させるのにノック体を軸方向に移動させ、ノック体自体を使用位置と格納位置とで保持する機構を採用したが、これに限定されることはなく、従来筆記具に採用されている他の構成になる芯の出し入れ機構、例えば回転体を用いたノック機構などを採用することが可能である。
【００４０】
【発明の効果】
上記の通り、本願発明においては、筆記用芯を軸の軸心方向に移動可能にするとともに、その軸心に直交する軸心回りに回動可能とし、使用しないときには筆記用芯の先端芯を軸内部に収受し、軸端部の開口部を先端芯を保持する芯保持部材で閉鎖するようにしたので、筆記具を使用しないときには、キャップを使用することなく、確実に筆記用芯の保護が図れ、インクの蒸発を防止することができる。しかも、ノック体を用いるなどして、筆記用芯の使用位置と格納位置との切り替えがワンタッチで行え、きわめて使用勝手に優れたものである。
【図面の簡単な説明】
【図１】本発明の１実施の形態に係る筆記具の正面縦断面図である。
【図２】一部の部材を切欠いて示した正面図である。
【図３】操作部材の側面図である。
【図４】延長部の断面図であり、（イ）、（ロ）、（ハ）はそれぞれ図１のＡ−Ａ線、Ｂ−Ｂ線、Ｃ−Ｃ線に沿っての断面端面図である。
【図５】筆記用芯の図であり、（イ）は平面図、（ロ）は正面図である。
【符号の説明】
１　筆記具（マーカ）
３　外軸
４　係止部
１１　中軸
１２　円筒部
１３　延長部
１９　円筒状スペース
２１　バネ受け
２５　ノック体
２９　フック
３０　掛け止め部
３３　圧縮バネ
３５　インク保持体
３６　中綿カバー
３８　開口部
３８ａ　テーパ部
４０　中綿
４１　操作部材
４４　アーム
５１　空所
５２　第１空所
５７　第２空所
６０　ラック
６２　第３空所
６７　溝
６７ａ　長孔
７１　筆記用芯
７２　先端芯
７３　筆記用先端
７５　芯保持部材
７８　ピニオン
７９　軸部
８０　テーパ部
【図１】
2004074634.tif 000003
【図２】
2004074634.tif 000004
【図３】
2004074634.tif 000005
【図４】
2004074634.tif 000006
【図５】
2004074634.tif 000007